(57)【要約】【課題】長期に亘って建設機械の上面への乗降を安全に行えると共にメンテナンス作業を軽減できる建設機械のステップ装置を提供する。【解決手段】建設機械へ乗降するためのステップ装置３０は、下部フレーム２４の前端面に固着されたコの字状のステップ２５と、ツールボックス２３及びその上面に設けられた蓋２３ａと、水平面２８ａ及びその水平面２８ａから垂直に立ち上がる垂直面２８ｂとからなる段設部２８と、タンク２０等を覆うハウスカバー２２とによって構成されている。そして、ステンレスプレート３１ａがハウスカバー２２の表面に設置され、ステンレスプレート３１ｂが段設部２８の水平面２８ａに設置され、さらに、ステンレスプレート３１ｃが蓋２３ａに設置されている。さらに、ステンレスプレート３１ａ、ステンレスプレート３１ｂ、及びステンレスプレート３１ｃには、多数の凸部または凹部からなる突起部３２が設けられている。これによりステップ装置３０はスリップ防止と腐食防止を呈する。【選択図】図２
2006036129.tif 000002
【特許請求の範囲】
【請求項１】
建設機械に乗降するときの足場となるステップ装置において、
前記足場となる部分がステンレスプレートで形成されていることを特徴とする建設機械のステップ装置。
【請求項２】
上記ステンレスプレートの表面には、多数の凸部または凹部からなる突起部が形成されていることを特徴とする請求項１記載の建設機械のステップ装置。
【発明の詳細な説明】
【技術分野】
【０００１】
本発明は建設機械のステップ装置に関するものであり、特に、建設機械上面への乗降を容易にするための建設機械のステップ装置に関するものである。
【背景技術】
【０００２】
従来より、建設機械のステップ装置としては、足場となる鉄板の全域にバーリング加工などを施して滑り止め用の突起部を形成した構造のものが知られている。すなわち、このステップ装置は、鉄板製のステップ部材の表面に多数の凸部または凹部からなる突起部が形成され、それぞれの突起部には貫通孔が設けられている。したがって、ステップ装置の表面に水や泥土が溜まらないようになっていると共に突起部の形状によってスリップ防止の効果を呈することができる（例えば、特許文献１参照）。
【０００３】
また、運転席に乗り降りするときに足を滑らせないようにするための滑り止めプレートを敷設した乗降用ステップも知られている。この乗降用ステップには、鋼板の端縁部に沿って上側に向けて突起状に折り曲げた滑り止めプレートが取り付けられている。したがって、乗降用ステップの周囲に泥が堆積し難く、かつ泥が堆積したとしても簡単に除去することができるので、滑り止め効果を充分に発揮することができる（例えば、特許文献２参照）。
【特許文献１】特開平１１−０９３２１５号公報
【特許文献２】特開２００４−１２４５１１号公報
【発明の開示】
【発明が解決しようとする課題】
【０００４】
しかしながら、上記の特許文献１に開示されている発明は、ステップ装置となる鉄板にバーリング加工などが施されていて全体が塗装されているので、ステップ装置への乗降中にエッジ部分から塗装が剥がれて錆が発生する虞れがある。このような錆が発生すると、錆の程度によってはステップ装置が腐食して、作業者がステップ装置に乗降したときにそのステップ装置が折れることもある。したがって、錆の進行状態を監視してステップ装置を取り替えるなど、建設機械のメンテナンス作業を頻繁に行わなければならない。また、上記の特許文献２に開示されている発明においても、鋼板の滑り止めプレートにおける端縁部の折り曲げ部分に錆が発生すると折り曲げ部分の突起部が折れてしまい、滑り止め防止を呈することができない。
【０００５】
そこで、建設機械に設けられるステップ装置に於いて、長期に亘って建設機械上面への乗降を安全に行えると共に、メンテナンス作業を軽減するために技術的課題が生じてくるのであり、本発明はこの課題を解決することを目的とする。
【課題を解決するための手段】
【０００６】
本発明は上記の目的を達成するために提案されたものであり、請求項１記載の発明は、建設機械に乗降するときの足場となるステップ装置において、前記足場となる部分がステンレスプレートで形成されている建設機械のステップ装置を提供するものである。
【０００７】
この構成によれば、建設機械の足場となるステップ装置は、錆が発生しないように表面にステンレスプレートが設置されている。
【０００８】
また、請求項２記載の発明は、上記ステンレスプレートの表面には多数の凸部または凹部からなる突起部が形成されている建設機械のステップ装置を提供するものである。
【０００９】
この構成によれば、ステンレスプレートの表面にバーリング加工などによって多数の凸部または凹部からなる突起部を形成してスリップ防止を行うと共に、ステップ装置における錆の発生を防止している。
【発明の効果】
【００１０】
請求項１記載の発明によれば、乗降用の足場となるステップ装置がステンレスプレートで覆われているので、足場となる部分に錆が発生してステップ装置が腐食する虞はなくなる。したがって、建設機械への乗降動作を安全に行うことができると共に、ステップ装置のメンテナンス作業を軽減させることができる。
【００１１】
また、請求項２記載の発明によれば、ステンレスプレートの表面に多数の凸部または凹部からなる突起部が形成されているので、請求項１記載の発明の効果に加えて、足場のスリップ防止を行うことができると共に、腐食が進行して突起部が欠落する虞もなくなるので、長期に亘って安定した足場を維持することができる。
【発明を実施するための最良の形態】
【００１２】
以下、本発明に係る建設機械のステップ装置について、好適な実施例をあげて説明する。本発明は、建設機械に設けられるステップ装置において、長期に亘って建設機械上面への乗降を安全に行えると共にメンテナンス作業を軽減するという目的を、建設機械上面の足場となる部分にステンレスプレートを施すことによって実現した。
【実施例】
【００１３】
以下、本発明における建設機械のステップ装置の一実施例を油圧ショベルに適用し、図１及び図２を参照しながら詳細に説明する。図１は、本発明に適用される建設機械の一例としての油圧ショベルの側面図を示す。油圧ショベル１０は、下部走行体１１の上に旋回機構１２を介して上部旋回体１３が旋回自在に載置されている。上部旋回体１３にはその前方一側部にキヤブ１４が設けられ、且つ、前方中央部にブーム１５が俯仰可能に取り付けられている。さらに、ブーム１５の先端にアーム１６が上下回動自在に取り付けられ、そのアーム１６の先端にはバケット１７が取り付けられている。
【００１４】
また、上部旋回体１３の前方他側部にはタンク２０が設けられ、このタンク２０はエンジン２１などと共に鋼板等のハウスカバー２２で覆われている。さらに、タンク２０の前方部、即ち上部旋回体１３の最前部の上面にツールボックス２３が固設され、上部旋回体１３の下部フレーム２４の前端面にはコの字状のステップ２５が突設されている。そして、タンク２０を覆っているハウスカバー２２の前面であって、かつ、ツールボックス２３の後部上面には鋼板等のカバー２６が設置されている。さらに、タンク２０の上部付近からツールボックス２３の前下部にかけて、上部旋回体１３の右側部にハンドレール２７が配設されている。
【００１５】
図２は、図１に示す油圧ショベルに設けられたステップ装置３０の一例を示す図である。前記カバー２６は、水平面２８ａ及びその水平面２８ａから垂直に立ち上がる垂直面２８ｂとからなる段設部２８を備えている。そして、ステップ装置３０は、前記下部フレーム２４の前端部に固着されたステップ２５と、前記ツールボックス２３及びその上面に設けられた蓋２３ａと、前記段設部２８と、前記タンク２０等を覆うハウスカバー２２とによって構成されている。
【００１６】
また、前記ハウスカバー２２の上面にはステンレスプレート３１ａが設置され、前記段設部２８の水平面２８ａの上面にはステンレスプレート３１ｂが設置され、さらに、前記蓋２３ａの上面にはステンレスプレート３１ｃが設置されている。尚、以下の説明では、ステンレスプレート３１ａとステンレスプレート３１ｂとステンレスプレート３１ｃとをまとめてステンレスプレート３１という。また、ステンレスプレート３１の表面には多数の凸部または凹部からなる突起部３２が形成されている。
【００１７】
さらに、ステップ装置３０を乗降するときの手摺となるハンドレール２７は、段設部２８の垂直面２８ｂの上端部を形成するカバー２６に固設されて垂直に形成された立上り部２７ａと、その立上り部２７ａの上端から斜め前下方へ向かって凸状に湾曲された湾曲部２７ｂとからなり、その湾曲部２７ｂの下端部が下部フレーム２４の下面側へ屈曲してクランプ３３で固定されている。
【００１８】
次に、図１、図２を参照しながらステップ装置３０へ乗降するときの動作について説明する。作業者がステップ装置３０を利用して油圧ショベル１０へ乗降するためには、まず下部走行体１１へ昇り、次に、下部フレーム２４の前端面に突設されたステップ２５に足を掛けて、上部旋回体１３に設置されたツールボックス２３の蓋２３ａの上に昇る。さらに、段設部２８の水平面２８ａを足場としてタンク２０を覆っているハウスカバー２２の上面へ昇る。
【００１９】
このとき、作業者がハンドレール２７の湾曲部２７ｂに手を掛けて把持しながら昇れば、作業者は姿勢が安定した状態でステップ２５からツールボックス２３の蓋２３ａへと昇ることができる。さらに、段設部２８の水平面２８ａを足場としてタンク２０を覆っているハウスカバー２２の上面に昇るときは、ハンドレール２７の立上り部２７ａに手を掛けて把持しながら昇れば、作業者は安定した状態でハウスカバー２２の上面に昇ることができる。
【００２０】
また、ツールボックス２３の蓋２３ａに設置されているステンレスプレート３１ｃには、多数の凸部または凹部からなる突起部３２が設けられているので、作業者が蓋２３ａの上へ昇るときに足を滑らせる虞はない。さらに、段設部２８の水平面２８ａに設置されているステンレスプレート３１ｂにも多数の突起部３２が設けられているので、作業者が水平面２８ａの上へ昇るときにも足を滑らせる虞はない。また、タンク２０を覆っているハウスカバー２２に設置されているステンレスプレート３１ａにも多数の突起部３２が設けられているので、作業者がハウスカバー２２の上に昇っても足を滑らせることはない。
【００２１】
しかも、これらの突起部３２はステンレスプレート３１に直接形成されているため、錆などが発生して腐食が生じることがないので、突起部３２が折れたり脱落したりする虞はない。したがって、ステップ装置３０は、長期に亘って安定してスリップ防止を呈する足場として利用することができる。
【００２２】
尚、ステップ装置３０は図２に示すような構造に限定されるものではなく、乗降しやすい様々な段設部の構造体であっても、足場となる部分にステンレスプレートを設置すれば本発明が適用されることはいうまでもない。さらに、蓋２３ａ及び段設部２８の水平面２８ａ自体をステンレスプレートにて形成してもよい。
【００２３】
更に、本発明は、本発明の精神を逸脱しない限り種々の改変を為すことができ、そして、本発明が該改変されたものに及ぶことは当然である。
【図面の簡単な説明】
【００２４】
【図１】本発明に適用される建設機械の一例としての油圧ショベルの側面図。
【図２】図１に示す油圧ショベルに設けられたステップ装置の一例を示す図。
【符号の説明】
【００２５】
１０  油圧ショベル
１１  下部走行体
１３  上部旋回体
２０  タンク
２２  ハウスカバー
２３  ツールボックス
２３ａ  蓋
２４  下部フレーム
２５  ステップ
２６  カバー
２８  段設部
２８ａ  水平面
２８ｂ  垂直面
３０  ステップ装置
３１，３１ａ，３１ｂ，３１ｃ  ステンレスプレート
３２  突起部
【図１】
2006036129.tif 000003
【図２】
2006036129.tif 000004